(57)【要約】  本明細書は、無線ＬＡＮ（ＷＬＡＮ）システムにおけるＡＣＫ（Ａｃｋｎｏｗｌｅｄｇｅｍｅｎｔ）情報を送受信する方法、及びこのための装置について提示する。  より具体的な一例として、本明細書では、ＴＤＤ（Ｔｉｍｅ  Ｄｉｖｉｓｉｏｎ  Ｄｕｐｌｅｘ）スケジューリングの方式でスケジューリングされたステーション装置がＴＤＤスケジューリング情報に基づいてＡＣＫ情報を送受信する方法、及びこのための装置に関する説明を含む。【選択図】図１８
2020535745.tif 000002
【特許請求の範囲】
【請求項１】
無線ＬＡＮ（ＷＬＡＮ）システムにおけるステーション（ＳＴＡ）がＡＣＫ（Ａｃｋｎｏｗｌｅｄｇｅｍｅｎｔ）情報を送信する方法において、
アクセスポイント（ＡＰ）から１つのサービス区間（ｓｅｒｖｉｃｅ  ｐｅｒｉｏｄ；ＳＰ）内のＴＤＤ（Ｔｉｍｅ  Ｄｉｖｉｓｉｏｎ  Ｄｕｐｌｅｘ）割り当て情報を受信し、
前記１つのＳＰが１つ以上の第１の単位時間（ｔｉｍｅ  ｕｎｉｔ）を含み、前記１つの第１の単位時間が１つ以上の第２の単位時間を含む場合、前記ＴＤＤ割り当て情報は、前記１つのＳＰに含まれた全ての第２の単位時間に対する情報を含み、
前記１つのＳＰ以内に前記ＴＤＤ割り当て情報に基づいて決定される１つ以上の第２の単位時間（ｔｉｍｅ  ｕｎｉｔ）で前記ＡＣＫ情報を前記ＡＰに送信することを含む、ステーションのＡＣＫ情報送信方法。
【請求項２】
前記ＴＤＤ割り当て情報は、前記１つ以上の第２の単位時間が前記ＡＣＫ情報の送信のために割り当てられることを知らせる、請求項１に記載のステーションのＡＣＫ情報送信方法。
【請求項３】
前記ＴＤＤ割り当て情報は１つ以上の連続する２ビット情報で構成され、
各々の２ビット情報は、関連する第２の単位時間が前記ＡＣＫ情報の送信のために割り当てられるか否かを知らせる、請求項２に記載のステーションのＡＣＫ情報送信方法。
【請求項４】
前記１つのＳＰに含まれた第１の単位時間の個数がＱであり、前記１つの第１の単位時間に含まれた第２の単位時間の個数がＭである場合、
前記ＴＤＤ割り当て情報は、下記の数式を満たすオクテット（ｏｃｔｅｔｓ）のサイズを有し、
［数式］
2020535745.tif 000018
ここで、
2020535745.tif 000019
は、Ａよりも大きいか等しい整数のうち、最も小さい整数値を示す、請求項３に記載のステーションのＡＣＫ情報送信方法。
【請求項５】
前記ＳＴＡが前記ＡＣＫ情報を送信する特定の第２の単位時間は、
前記特定の第２の単位時間を含む特定の第１の単位時間の最後の区間に割り当てられる、請求項１に記載のステーションのＡＣＫ情報送信方法。
【請求項６】
前記ＳＴＡは、前記ＡＣＫの送信に先だって、前記ＡＰから前記ＡＣＫの送信を要請する信号を受信する、請求項１に記載のステーションのＡＣＫ情報送信方法。
【請求項７】
前記１つのＳＰは、データ伝送区間（ｄａｔａ  ｔｒａｎｓｆｅｒ  ｉｎｔｅｒｖａｌ；ＤＴＩ）に含まれる、請求項１に記載のステーションのＡＣＫ情報送信方法。
【請求項８】
無線ＬＡＮ（ＷＬＡＮ）システムにおけるアクセスポイント（ＡＰ）がステーション（ＳＴＡ）からＡＣＫ（Ａｃｋｎｏｗｌｅｄｇｅｍｅｎｔ）情報を受信する方法において、
１つのサービス区間（ｓｅｒｖｉｃｅ  ｐｅｒｉｏｄ；ＳＰ）内のＴＤＤ（Ｔｉｍｅ  Ｄｉｖｉｓｉｏｎ  Ｄｕｐｌｅｘ）割り当て情報を前記ＳＴＡに送信し、
前記１つのＳＰが１つ以上の第１の単位時間（ｔｉｍｅ  ｕｎｉｔ）を含み、前記１つの第１の単位時間が１つ以上の第２の単位時間を含む場合、前記ＴＤＤ割り当て情報は、前記１つのＳＰに含まれた全ての第２の単位時間に対する情報を含み、
前記１つのＳＰ以内に前記ＴＤＤ割り当て情報に基づいて決定される１つ以上の第２の単位時間（ｔｉｍｅ  ｕｎｉｔ）で前記ＳＴＡから前記ＡＣＫ情報を受信することを含む、アクセスポイントのＡＣＫ情報受信方法。
【請求項９】
前記ＴＤＤ割り当て情報は、前記１つ以上の第２の単位時間が前記ＡＣＫ情報の送信のために割り当てられることを知らせる、請求項８に記載のアクセスポイントのＡＣＫ情報受信方法。
【請求項１０】
前記ＴＤＤ割り当て情報は、１つ以上の連続する２ビット情報で構成され、
各々の２ビット情報は、関連する第２の単位時間が前記ＡＣＫ情報の送信のために割り当てられるか否かを指示する、請求項９に記載のアクセスポイントのＡＣＫ情報受信方法。
【請求項１１】
前記１つのＳＰに含まれた第１の単位時間の個数がＱであり、前記１つの第１の単位時間に含まれた第２の単位時間の個数がＭである場合、
前記ＴＤＤ割り当て情報は、下記の数式を満たすオクテット（ｏｃｔｅｔｓ）のサイズを有し、
［数式］
2020535745.tif 000020
ここで、
2020535745.tif 000021
は、Ａよりも大きいか等しい整数のうち、最も小さい整数値を示す、請求項１０に記載のアクセスポイントのＡＣＫ情報受信方法。
【請求項１２】
前記ＡＰが前記ＳＴＡから前記ＡＣＫ情報を受信する特定の第２の単位時間は、
前記特定の第２の単位時間を含む特定の第１の単位時間の最後の区間に割り当てられる、請求項８に記載のアクセスポイントのＡＣＫ情報受信方法。
【請求項１３】
前記ＡＰは、前記ＡＣＫの受信に先だって、前記ＳＴＡに前記ＡＣＫの送信を要請する信号を送信する、請求項８に記載のアクセスポイントのＡＣＫ情報受信方法。
【請求項１４】
前記１つのＳＰは、データ伝送区間（ｄａｔａ  ｔｒａｎｓｆｅｒ  ｉｎｔｅｒｖａｌ；ＤＴＩ）に含まれる、請求項８に記載のアクセスポイントのＡＣＫ情報受信方法。
【請求項１５】
無線ＬＡＮ（ＷＬＡＮ）システムにおけるＡＣＫ（Ａｃｋｎｏｗｌｅｄｇｅｍｅｎｔ）情報を送信するステーション装置において、
１つ以上のＲＦ（Ｒａｄｉｏ  Ｆｒｅｑｕｅｎｃｙ）チェーンを有し、他のステーション装置と信号を送受信するように構成される送受信部と、
前記送受信部と連結され、前記他のステーション装置と送受信した信号を処理するプロセッサを含み、
前記プロセッサは、
前記他のステーション装置から１つのサービス区間（ｓｅｒｖｉｃｅ  ｐｅｒｉｏｄ；ＳＰ）内のＴＤＤ（Ｔｉｍｅ  Ｄｉｖｉｓｉｏｎ  Ｄｕｐｌｅｘ）割り当て情報を受信し、
前記１つのＳＰが１つ以上の第１の単位時間（ｔｉｍｅ  ｕｎｉｔ）を含み、前記１つの第１の単位時間が１つ以上の第２の単位時間を含む場合、前記ＴＤＤ割り当て情報は、前記１つのＳＰに含まれた全ての第２の単位時間に対する情報を含み、
前記１つのＳＰ以内に前記ＴＤＤ割り当て情報に基づいて決定される１つ以上の第２の単位時間（ｔｉｍｅ  ｕｎｉｔ）で前記ＡＣＫ情報を前記他のステーション装置に送信するように構成される、ステーション装置。
【請求項１６】
無線ＬＡＮ（ＷＬＡＮ）システムにおけるＡＣＫ（Ａｃｋｎｏｗｌｅｄｇｅｍｅｎｔ）情報を受信するステーション装置において、
１つ以上のＲＦ（Ｒａｄｉｏ  Ｆｒｅｑｕｅｎｃｙ）チェーンを有し、他のステーション装置と信号を送受信するように構成される送受信部と、
前記送受信部と連結され、前記他のステーション装置と送受信した信号を処理するプロセッサを含み、
前記プロセッサは、
１つのサービス区間（ｓｅｒｖｉｃｅ  ｐｅｒｉｏｄ；ＳＰ）内のＴＤＤ（Ｔｉｍｅ  Ｄｉｖｉｓｉｏｎ  Ｄｕｐｌｅｘ）割り当て情報を前記他のステーション装置に送信し、
前記１つのＳＰが１つ以上の第１の単位時間（ｔｉｍｅ  ｕｎｉｔ）を含み、
前記１つの第１の単位時間が１つ以上の第２の単位時間を含む場合、前記ＴＤＤ割り当て情報は、前記１つのＳＰに含まれた全ての第２の単位時間に対する情報を含み、
前記１つのＳＰ以内に前記ＴＤＤ割り当て情報に基づいて決定される１つ以上の第２の単位時間（ｔｉｍｅ  ｕｎｉｔ）で前記他のステーション装置から前記ＡＣＫ情報を受信するように構成される、ステーション装置。
【発明の詳細な説明】
【技術分野】
【０００１】
以下の説明は、無線ＬＡＮ（ＷＬＡＮ）システムにおけるＡＣＫ（Ａｃｋｎｏｗｌｅｄｇｅｍｅｎｔ）情報を送受信する方法、及びこのための装置に関する。
【背景技術】
【０００２】
無線ＬＡＮ技術に対する標準は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）  ８０２．１１標準として開発されている。ＩＥＥＥ  ８０２．１１ａ及びｂは、２．４．ＧＨｚ又は５ＧＨｚで非免許帯域（ｕｎｌｉｃｅｎｓｅｄ  ｂａｎｄ）を利用して、ＩＥＥＥ  ８０２．１１ｂは、１１Ｍｂｐｓの伝送速度を提供し、ＩＥＥＥ  ８０２．１１ａは、５４Ｍｂｐｓの伝送速度を提供する。ＩＥＥＥ  ８０２．１１ｇは、２．４ＧＨｚで直交周波数分割多重化（Ｏｒｔｈｏｇｏｎａｌ  ｆｒｅｑｕｅｎｃｙ−ｄｉｖｉｓｉｏｎ  ｍｕｌｔｉｐｌｅｘｉｎｇ、ＯＦＤＭ）を適用し、５４Ｍｂｐｓの伝送速度を提供する。ＩＥＥＥ  ８０２．１１ｎは、多重入出力ＯＦＤＭ（ｍｕｌｔｉｐｌｅ  ｉｎｐｕｔ  ｍｕｌｔｉｐｌｅ  ｏｕｔｐｕｔ−ＯＦＤＭ、ＭＩＭＯ−ＯＦＤＭ）を適用し、４個の空間的なストリーム（ｓｐａｔｉａｌ  ｓｔｒｅａｍ）に対して３００Ｍｂｐｓの伝送速度を提供する。ＩＥＥＥ  ８０２．１１ｎでは、チャネル帯域幅（ｃｈａｎｎｅｌ  ｂａｎｄｗｉｄｔｈ）を４０ＭＨｚまで支援し、この場合には、６００Ｍｂｐｓの伝送速度を提供する。
【０００３】
前述した無線ＲＡＮの標準は、最大１６０ＭＨｚの帯域幅を使用し、８個の空間ストリームを支援して、最大１Ｇｂｉｔ／ｓの速度を支援するＩＥＥＥ  ８０２．１１ａｃ標準を経て、ＩＥＥＥ  ８０２．１１ａｘ標準化に対する議論が行われている。
【０００４】
一方、ＩＥＥＥ  ８０２．１１ａｄでは、６０ＧＨｚ帯域での超高速処理率のための性能向上を規定しており、このようなＩＥＥＥ  ８０２．１１ａｄシステムに初めてチャネルボンディング及びＭＩＭＯ技術を導入するためのＩＥＥＥ  ８０２．１１ａｙに対する議論が行われている。
【発明の概要】
【発明が解決しようとする課題】
【０００５】
本発明では、ＴＤＤスケジューリングの方式によって、ＴＤＤスケジューリングされたステーション装置がＡＣＫ情報を送受信する方法、及びこのための装置を提案する。
【課題を解決するための手段】
【０００６】
前述したような課題を解決するための本発明の一側面では、無線ＬＡＮ（ＷＬＡＮ）システムにおけるステーション（ＳＴＡ）がＡＣＫ（Ａｃｋｎｏｗｌｅｄｇｅｍｅｎｔ）情報を送信する方法において、アクセスポイント（ＡＰ）から１つのサービス区間（ｓｅｒｖｉｃｅ  ｐｅｒｉｏｄ；ＳＰ）内のＴＤＤ（Ｔｉｍｅ  Ｄｉｖｉｓｉｏｎ  Ｄｕｐｌｅｘ）割り当て情報を受信し、前記１つのＳＰが１つ以上の第１の単位時間（ｔｉｍｅ  ｕｎｉｔ）を含み、前記１つの第１の単位時間が１つ以上の第２の単位時間を含む場合、前記ＴＤＤ割り当て情報は、前記１つのＳＰに含まれた全ての第２の単位時間に対する情報を含み；及び前記１つのＳＰ以内に前記ＴＤＤ割り当て情報に基づいて決定される１つ以上の第２の単位時間（ｔｉｍｅ  ｕｎｉｔ）で前記ＡＣＫ情報を前記ＡＰに送信；することを含む、ステーションのＡＣＫ情報送信方法を提案する。
【０００７】
ここで、前記ＴＤＤ割り当て情報は、前記１つ以上の第２の単位時間が前記ＡＣＫ情報の送信のために割り当てられることを知らせることができる。
【０００８】
より具体的に、前記ＴＤＤ割り当て情報は１つ以上の連続する２ビット情報で構成され、各々の２ビット情報は、関連する第２の単位時間が前記ＡＣＫ情報の送信のために割り当てられるか否かを知らせることができる。
【０００９】
この際、前記１つのＳＰに含まれた第１の単位時間の個数がＱであり、前記１つの第１の単位時間に含まれた第２の単位時間の個数がＭである場合、前記ＴＤＤ割り当て情報は、下記の数式を満たすオクテット（ｏｃｔｅｔｓ）のサイズを有することができる。
【００１０】
［数式］
2020535745.tif 000003
【００１１】
ここで、
2020535745.tif 000004
は、Ａよりも大きいか等しい整数のうち、最も小さい整数値を示すことができる。
【００１２】
また、前記ＳＴＡが前記ＡＣＫ情報を送信する特定の第２の単位時間は、前記特定の第２の単位時間を含む特定の第１の単位時間の最後の区間に割り当てられる。
【００１３】
また、前記ＳＴＡは、前記ＡＣＫの送信に先だって、前記ＡＰから前記ＡＣＫの送信を要請する信号を受信することができる。
【００１４】
また、前記１つのＳＰは、データ伝送区間（ｄａｔａ  ｔｒａｎｓｆｅｒ  ｉｎｔｅｒｖａｌ；ＤＴＩ）に含まれ得る。
【００１５】
前述したような課題を解決するための本発明の別の側面では、無線ＬＡＮ（ＷＬＡＮ）システムにおけるアクセスポイント（ＡＰ）がステーション（ＳＴＡ）からＡＣＫ（Ａｃｋｎｏｗｌｅｄｇｅｍｅｎｔ）情報を受信する方法において、１つのサービス区間（ｓｅｒｖｉｃｅ  ｐｅｒｉｏｄ；ＳＰ）内のＴＤＤ（Ｔｉｍｅ  Ｄｉｖｉｓｉｏｎ  Ｄｕｐｌｅｘ）割り当て情報を前記ＳＴＡに送信し、前記１つのＳＰが１つ以上の第１の単位時間（ｔｉｍｅ  ｕｎｉｔ）を含み、前記１つの第１の単位時間が１つ以上の第２の単位時間を含む場合、前記ＴＤＤ割り当て情報は、前記１つのＳＰに含まれた全ての第２の単位時間に対する情報を含み、前記１つのＳＰ以内に前記ＴＤＤ割り当て情報に基づいて決定される１つ以上の第２の単位時間（ｔｉｍｅ  ｕｎｉｔ）で前記ＳＴＡから前記ＡＣＫ情報を受信することを含む、アクセスポイントのＡＣＫ情報受信方法を提案する。
【００１６】
ここで、前記ＴＤＤ割り当て情報は、前記１つ以上の第２の単位時間が前記ＡＣＫ情報の送信のために割り当てられることを知らせることができる。
【００１７】
より具体的に、前記ＴＤＤ割り当て情報は、１つ以上の連続する２ビット情報で構成され、各々の２ビット情報は、関連する第２の単位時間が前記ＡＣＫ情報の送信のために割り当てられるか否かを知らせることができる。
【００１８】
この際、前記１つのＳＰに含まれた第１の単位時間の個数がＱであり、前記１つの第１の単位時間に含まれた第２の単位時間の個数がＭである場合、前記ＴＤＤ割り当て情報は、下記の数式を満たすオクテット（ｏｃｔｅｔｓ）のサイズを有することができる。
【００１９】
［数式］
2020535745.tif 000005
【００２０】
ここで、
2020535745.tif 000006
は、Ａよりも大きいか等しい整数のうち、最も小さい整数値を示すことができる。
【００２１】
また、前記ＳＴＡが前記ＡＣＫ情報を送信する特定の第２の単位時間は、前記特定の第２の単位時間を含む特定の第１の単位時間の最後の区間に割り当てられる。
【００２２】
また、前記ＳＴＡは、前記ＡＣＫの送信に先だって、前記ＡＰから前記ＡＣＫの送信を要請する信号を受信することができる。
【００２３】
また、前記１つのＳＰは、データ伝送区間（ｄａｔａ  ｔｒａｎｓｆｅｒ  ｉｎｔｅｒｖａｌ；ＤＴＩ）に含まれ得る。
【００２４】
前述したような課題を解決するための本発明のまた別の側面では、無線ＬＡＮ（ＷＬＡＮ）システムにおけるＡＣＫ（Ａｃｋｎｏｗｌｅｄｇｅｍｅｎｔ）情報を送信するステーション装置において、１つ以上のＲＦ（Ｒａｄｉｏ  Ｆｒｅｑｕｅｎｃｙ）チェーンを有し、他のステーション装置と信号を送受信するように構成される送受信部；及び前記送受信部と連結され、前記他のステーション装置と送受信した信号を処理するプロセッサを含み、前記プロセッサは、前記他のステーション装置から１つのサービス区間（ｓｅｒｖｉｃｅ  ｐｅｒｉｏｄ；ＳＰ）内のＴＤＤ（Ｔｉｍｅ  Ｄｉｖｉｓｉｏｎ  Ｄｕｐｌｅｘ）割り当て情報を受信し、前記１つのＳＰが１つ以上の第１の単位時間（ｔｉｍｅ  ｕｎｉｔ）を含み、前記１つの第１の単位時間が１つ以上の第２の単位時間を含む場合、前記ＴＤＤ割り当て情報は、前記１つのＳＰに含まれた全ての第２の単位時間に対する情報を含み、前記１つのＳＰ以内に前記ＴＤＤ割り当て情報に基づいて決定される１つ以上の第２の単位時間（ｔｉｍｅ  ｕｎｉｔ）で前記ＡＣＫ情報を前記他のステーション装置に送信するように構成される、ステーション装置を提案する。
【００２５】
前述したような課題を解決するための本発明のまた別の側面では、無線ＬＡＮ（ＷＬＡＮ）システムにおけるＡＣＫ（Ａｃｋｎｏｗｌｅｄｇｅｍｅｎｔ）情報を受信するステーション装置において、１つ以上のＲＦ（Ｒａｄｉｏ  Ｆｒｅｑｕｅｎｃｙ）チェーンを有し、他のステーション装置と信号を送受信するように構成される送受信部と、前記送受信部と連結され、前記他のステーション装置と送受信した信号を処理するプロセッサとを含み、前記プロセッサは、１つのサービス区間（ｓｅｒｖｉｃｅ  ｐｅｒｉｏｄ；ＳＰ）内のＴＤＤ（Ｔｉｍｅ  Ｄｉｖｉｓｉｏｎ  Ｄｕｐｌｅｘ）割り当て情報を前記他のステーション装置に送信し、前記１つのＳＰが１つ以上の第１の単位時間（ｔｉｍｅ  ｕｎｉｔ）を含み、前記１つの第１の単位時間が１つ以上の第２の単位時間を含む場合、前記ＴＤＤ割り当て情報は、前記１つのＳＰに含まれた全ての第２の単位時間に対する情報を含み、前記１つのＳＰ以内に前記ＴＤＤ割り当て情報に基づいて決定される１つ以上の第２の単位時間（ｔｉｍｅ  ｕｎｉｔ）で前記他のステーション装置から前記ＡＣＫ情報を受信するように構成される、ステーション装置を提案する。
【００２６】
本発明で得られる効果は、以上で言及した効果に制限されず、言及しないまた別の効果は、下記の記載から本発明が属する技術分野で通常の知識を有する者に明確に理解されるはずだ。
【発明の効果】
【００２７】
前記のような構成を通じて、本発明に適用可能な８０２．１１ａｙシステムを支援するステーション装置は、割り当てられた時間区間を介してＡＣＫ情報を送受信することができる。
【００２８】
特に、前記のような構成によると、従来のＷｉ−Ｆｉシステムと異なり、ＡＰ（又はＤＮ）はＡＣＫ情報を送受信する区間を動的に設定（又は割り当て）することができ、これに従属するＳＴＡ（又はＣＮ）は、前記ＡＰ（又はＤＮ）の設定（又は割り当て）に基づいて、動的に設定（又は割り当て）された時間区間を介して、前記ＡＣＫ情報を送受信することができる。
【００２９】
本発明で得られる効果は、以上で言及した効果に制限されず、言及しないまた別の効果は、下記の記載から本発明が属する技術分野で通常の知識を有する者に明確に理解されるはずだ。
【図面の簡単な説明】
【００３０】
本明細書に添付される図は、本発明に対する理解を提供するためのものであって、本発明の様々な実施形態を示し、明細書の記載と共に本発明の原理を説明するためのものである。
【００３１】
【図１】無線ＬＡＮシステムの構成の一例を示す図である。
【図２】無線ＬＡＮシステムの構成の別の例を示す図である。
【図３】本発明の一実施形態にかかるチャネルボンディング動作の説明のための６０ＧＨｚ帯域でのチャネルを説明するための図である。
【図４】無線ＬＡＮシステムにおけるチャネルボンディングを行う基本的な方法を説明するための図である。
【図５】ビーコン間隔の構成を説明するための図である。
【図６】既存の無線フレームの物理構成を説明するための図である。
【図７】図６の無線フレームのヘッダフィールドの構成を説明するための図である。
【図８】図６の無線フレームのヘッダフィールドの構成を説明するための図である。
【図９】本発明に適用可能なＰＰＤＵ構造を示す図である。
【図１０】本発明に適用可能なＰＰＤＵ構造を簡単に示す図である。
【図１１】本発明の一実施例にかかるＴＤＤスケジューリングの方法を簡単に示す図である。
【図１２】本発明の別の実施例にかかるＴＤＤスケジューリングの方法を簡単に示す図である。
【図１３】本発明に適用可能な一実施例にかかり、ＡＣＫ  ＴＤＤ  ＳＰ区間がＤＬ  ＴＤＤ  ＳＰ及びＵＬ  ＴＤＤ  ＳＰの次の区間に割り当てられる例示を簡単に示す図である。
【図１４】本発明に適用可能な一実施例にかかり、ＡＣＫ  ＴＤＤ  ＳＰ区間（ＵＬ）及びＡＣＫ  ＴＤＤ  ＳＰ区間（ＤＬ）がＤＬ  ＴＤＤ  ＳＰ及びＵＬ  ＴＤＤ  ＳＰの次の区間に割り当てられる例示を簡単に示す図である。
【図１５】本発明の第３のシグナリング方法による動作を簡単に示す図である。
【図１６】本発明の一例によるＡＰとＳＴＡ間のＡＣＫの送受信動作を簡単に示す図である。
【図１７】本発明の別の例によるＡＰとＳＴＡ間のＡＣＫの送受信動作を簡単に示す図である。
【図１８】本発明の一実施例にかかるＳＴＡとＡＰ間のＡＣＫ情報の送受信動作を簡単に示す図である。
【図１９】本発明の一実施例にかかるＳＴＡのＡＣＫ情報送信動作を簡単に示すフローチャートである。
【図２０】本発明の一実施例にかかるＡＰのＡＣＫ情報受信動作を簡単に示すフローチャートである。
【図２１】前述したような方法を実現するための装置を説明するための図である。
【発明を実施するための形態】
【００３２】
以下、本発明にかかる好ましい実施形態を添付図を参照として詳細に説明する。添付図と共に以下に開示される詳細な説明は、本発明の例示的な実施形態を説明しようとするものであり、本発明が実施できる唯一の実施形態を示そうとするわけではない。
【００３３】
以下の詳細な説明は、本発明の完全な理解を提供するために具体的な細部事項を含む。しかし、当業者は、本発明がこのような具体的な細部事項がなくても実施可能であることが分かる。幾つかの場合、本発明の概念が曖昧になることを避けるために、公知の構造及び装置は省略されるか、各構造及び装置の核心機能を中心にしたブロック図の形式で示す。
【００３４】
本発明が適用される移動通信システムは、様々に存在し得るが、以下では、移動通信システムの一例として、無線ＬＡＮシステムについて具体的に説明する。
【００３５】
１．無線ＬＡＮ（Ｗｉｒｅｌｅｓｓ  ＬＡＮ、ＷＬＡＮ）システム
【００３６】
１−１．無線ＬＡＮシステムの一般
【００３７】
図１は、無線ＬＡＮシステムの構成の一例を示す図である。
【００３８】
図１に示すように、無線ＬＡＮシステムは１つ以上の基本サービスセット（Ｂａｓｉｃ  Ｓｅｒｖｉｃｅ  Ｓｅｔ、ＢＳＳ）を含む。ＢＳＳは、成功裏に同期化をなして互いに通信することができるステーション（Ｓｔａｔｉｏｎ、ＳＴＡ）の集合である。
【００３９】
ＳＴＡは、媒体アクセス制御（Ｍｅｄｉｕｍ  Ａｃｃｅｓｓ  Ｃｏｎｔｒｏｌ、ＭＡＣ）と無線媒体に対する物理層（Ｐｈｙｓｉｃａｌ  Ｌａｙｅｒ）のインターフェースを含む論理個体であって、アクセスポイント（ａｃｃｅｓｓ  ｐｏｉｎｔ、ＡＰ）と非ＡＰ  ＳＴＡ（Ｎｏｎ−ＡＰ  Ｓｔａｔｉｏｎ）とを含む。ＳＴＡのうち、ユーザが操作する携帯用端末は、Ｎｏｎ−ＡＰ  ＳＴＡであって、単純にＳＴＡというときは、Ｎｏｎ−ＡＰ  ＳＴＡを指すこともある。Ｎｏｎ−ＡＰ  ＳＴＡは、端末（ｔｅｒｍｉｎａｌ）、無線送受信ユニット（Ｗｉｒｅｌｅｓｓ  Ｔｒａｎｓｍｉｔ／Ｒｅｃｅｉｖｅ  Ｕｎｉｔ、ＷＴＲＵ）、ユーザ装備（Ｕｓｅｒ  Ｅｑｕｉｐｍｅｎｔ、ＵＥ）、移動局（Ｍｏｂｉｌｅ  Ｓｔａｔｉｏｎ、ＭＳ）、携帯用端末（Ｍｏｂｉｌｅ  Ｔｅｒｍｉｎａｌ）、又は移動加入者ユニット（Ｍｏｂｉｌｅ  Ｓｕｂｓｃｒｉｂｅｒ  Ｕｎｉｔ）等の他の名称でも呼ばれる。
【００４０】
また、ＡＰは、自身に結合されたＳＴＡ（Ａｓｓｏｃｉａｔｅｄ  Ｓｔａｔｉｏｎ）に無線媒体を介して分配システム（Ｄｉｓｔｒｉｂｕｔｉｏｎ  Ｓｙｓｔｅｍ、ＤＳ）へのアクセスを提供する個体である。ＡＰは、集中制御器、基地局（Ｂａｓｅ  Ｓｔａｔｉｏｎ、ＢＳ）、Ｎｏｄｅ−Ｂ、ＢＴＳ（Ｂａｓｅ  Ｔｒａｎｓｃｅｉｖｅｒ  Ｓｙｓｔｅｍ）、ＰＣＰ／ＡＰ（ｐｅｒｓｏｎａｌ  ｂａｓｉｃ  ｓｅｒｖｉｃｅ  ｓｅｔ  ｃｅｎｔｒａｌ  ｐｏｉｎｔ／ａｃｃｅｓｓ  ｐｏｉｎｔ）又はサイト制御器等でも呼ばれる。
【００４１】
ＢＳＳは、インフラストラクチャー（ｉｎｆｒａｓｔｒｕｃｔｕｒｅ）ＢＳＳと、独立した（Ｉｎｄｅｐｅｎｄｅｎｔ）ＢＳＳ（ＩＢＳＳ）とに区分できる。
【００４２】
図１に示すＢＢＳはＩＢＳＳである。ＩＢＳＳはＡＰを含んでいないＢＳＳを意味し、ＡＰを含んでないので、ＤＳへのアクセスが許容されず、自己完結型ネットワーク（ｓｅｌｆ−ｃｏｎｔａｉｎｅｄ  ｎｅｔｗｏｒｋ）をなす。
【００４３】
図２は、無線ＬＡＮシステムの構成の別の例を示す図である。
【００４４】
図２に示すＢＳＳは、インフラストラクチャーＢＳＳである。インフラストラクチャーＢＳＳは、１つ以上のＳＴＡ及びＡＰを含む。インフラストラクチャーＢＳＳで非ＡＰ  ＳＴＡ間の通信は、ＡＰを経由して行われるのが原則であるが、非ＡＰ  ＳＴＡ間に直接リンク（ｌｉｎｋ）が設定された場合には、非ＡＰ  ＳＴＡ間で直接通信も可能である。
【００４５】
図２に示すように、複数のインフラストラクチャーＢＳＳは、ＤＳを介して相互連結できる。ＤＳを介して連結された複数のＢＳＳを拡張サービスセット（Ｅｘｔｅｎｄｅｄ  Ｓｅｒｖｉｃｅ  Ｓｅｔ、ＥＳＳ）という。ＥＳＳに含まれるＳＴＡは互いに通信することができ、同一のＥＳＳ内で非ＡＰ  ＳＴＡは途切れることなく通信しつつ、１つのＢＳＳから他のＢＳＳに移動することができる。
【００４６】
ＤＳは複数のＡＰを連結するメカニズム（ｍｅｃｈａｎｉｓｍ）であって、必ずしもネットワークである必要はなく、所定の分配サービスを提供することができるならば、その形態については何ら制限がない。例えば、ＤＳはメッシュ（ｍｅｓｈ）ネットワークのような無線ネットワークであってもよく、ＡＰを互いに連結させてくれる物理的な構造物であってもよい。
【００４７】
以上に基づき、無線ＬＡＮシステムにおけるチャネルボンディング方式について説明する。
【００４８】
１−２．無線ＬＡＮシステムにおけるチャネルボンディング
【００４９】
図３は、本発明の一実施形態にかかるチャネルボンディング動作の説明のための６０ＧＨｚ帯域でのチャネルを説明するための図である。
【００５０】
図３に示すように、６０ＧＨｚ帯域では４個のチャネルが構成でき、一般チャネルの帯域幅は２．１６ＧＨｚであってもよい。６０ＧＨｚで使用可能なＩＳＭ帯域（５７ＧＨｚ〜６６ＧＨｚ）は、各国の状況によって異なって規定され得る。一般に、図３に示すチャネルのうちのチャネル２は、全ての地域で使用可能であり、デフォルト（ｄｅｆａｕｌｔ）チャネルとして使用されることができる。オーストラリアを除いた大半の地域でチャネル２及びチャネル３を使用することができ、これをチャネルボンディングに活用することができる。但し、チャネルボンディングに活用されるチャネルは多様であり得、本発明は特定のチャネルに限定されない。
【００５１】
図４は、無線ＬＡＮシステムにおけるチャネルボンディングを行う基本的な方法を説明するための図である。
【００５２】
図４の例は、ＩＥＥＥ  ８０２．１１ｎシステムで２個の２０ＭＨｚチャネルを結合して４０ＭＨｚチャネルボンディングで動作することを例に挙げて説明する。ＩＥＥＥ  ８０２．１１ａｃシステムの場合、４０／８０／１６０ＭＨｚチャネルボンディングが可能である。
【００５３】
図４の例示的な２個のチャネルは、主なチャネル（Ｐｒｉｍａｒｙ  Ｃｈａｎｎｅｌ）及び補助チャネル（Ｓｅｃｏｎｄａｒｙ  Ｃｈａｎｎｅｌ）を含み、ＳＴＡは前記２個のチャネルのうち、主なチャネルに対してＣＳＭＡ／ＣＡ方式でチャネルの状態を検討することができる。万が一、主なチャネルが一定のバックオフ間隔（ｂａｃｋｏｆｆ  ｉｎｔｅｒｖａｌ）の間に遊休（ｉｄｌｅ）し、バックオフカウントが０となる時点で、補助チャネルが所定時間（例えば、ＰＩＦＳ）の間に遊休である場合、ＳＴＡは主なチャネル及び補助チャネルを結合してデータを伝送することができる。
【００５４】
但し、図４のように競合ベースでチャネルボンディングを行う場合、前述したように、主なチャネルに対するバックオフカウントが満了となる時点で、補助チャネルが一定時間の間に遊休状態を維持した場合に限ってチャネルボンディングが可能であるため、チャネルボンディングの活用が非常に制限的であり、媒体の状況に柔軟に対応することが難しい側面がある。
【００５５】
これによって、本発明の一側面では、ＡＰがＳＴＡにスケジューリング情報を送信し、スケジューリングに基づいてアクセスを行う案を提案する。一方、本発明の別の一側面では、前述したスケジューリングに基づいて、又は前述したスケジューリングと独立して競合ベースでチャネルアクセスを行う案を提案する。また、本発明の別の一側面では、ビームフォーミング（ｂｅａｍｆｏｒｍｉｎｇ）に基づいて空間共有（Ｓｐａｔｉａｌ  Ｓｈａｒｉｎｇ）技法を通じて通信を行う方法について提案する。
【００５６】
１−３．ビーコン間隔の構成
【００５７】
図５は、ビーコン間隔の構成を説明するための図である。
【００５８】
１１ａｄベースＤＭＧ  ＢＳＳシステムで、媒体の時間はビーコン間隔に分けられる。ビーコン間隔内の下位区間は、アクセス区間（Ａｃｃｅｓｓ  Ｐｅｒｉｏｄ）と称される。１つのビーコン間隔内の互いに異なるアクセス区間は、異なるアクセス規則を有することができる。このようなアクセス区間に対する情報は、ＡＰ又はＰＣＰ（Ｐｅｒｓｏｎａｌ  ｂａｓｉｃ  ｓｅｒｖｉｃｅ  ｓｅｔ  Ｃｏｎｔｒｏｌ  Ｐｏｉｎｔ）によってｎｏｎ−ＡＰ  ＳＴＡ又はｎｏｎ−ＰＣＰに送信されることができる。
【００５９】
図５に示す例のように、１つのビーコン間隔は、１つのＢＨＩ（Ｂｅａｃｏｎ  Ｈｅａｄｅｒ  Ｉｎｔｅｒｖａｌ）と１つのＤＴＩ（Ｄａｔａ  Ｔｒａｎｓｆｅｒ  Ｉｎｔｅｒｖａｌ）を含むことができる。ＢＨＩは、図４に示すように、ＢＴＩ（Ｂｅａｃｏｎ  Ｔｒａｎｓｍｉｓｓｉｏｎ  Ｉｎｔｅｒｖａｌ）、Ａ−ＢＦＴ（Ａｓｓｏｃｉａｔｉｏｎ  Ｂｅａｍｆｏｒｍｉｎｇ  Ｔｒａｉｎｉｎｇ）、及びＡＴＩ（Ａｎｎｏｕｎｃｅｍｅｎｔ  Ｔｒａｎｓｍｉｓｓｉｏｎ  Ｉｎｔｅｒｖａｌ）を含むことができる。
【００６０】
ＢＴＩは１つ以上のＤＭＧビーコンフレームが送信できる区間を意味する。Ａ−ＢＦＴは、先行するＢＴＩの間にＤＭＧビーコンフレームを送信したＳＴＡによるビームフォーミングトレーニングが行われる区間を意味する。ＡＴＩはＰＣＰ／ＡＰとｎｏｎ−ＰＣＰ／ｎｏｎ−ＡＰ  ＳＴＡとの間に要請−応答ベースの管理アクセス区間を意味する。
【００６１】
一方、ＤＴＩ（Ｄａｔａ  Ｔｒａｎｓｆｅｒ  Ｉｎｔｅｒｖａｌ）はＳＴＡ間のフレームの交換が行われる区間であって、図５に示すように、１つ以上のＣＢＡＰ（Ｃｏｎｔｅｎｔｉｏｎ  Ｂａｓｅｄ  Ａｃｃｅｓｓ  Ｐｅｒｉｏｄ）及び一つ以上のＳＰ（Ｓｅｒｖｉｃｅ  Ｐｅｒｉｏｄ）が割り当てられる。図５では、２個のＣＢＡＰと２個のＳＰが割り当てられる例を示しているが、これは例示的なものであって、これに限定される必要はない。
【００６２】
以下では、本発明が適用される無線ＬＡＮシステムにおける物理層の構成について具体的に見る。
【００６３】
１−４．物理層の構成
【００６４】
本発明の一実施形態にかかる無線ＬＡＮシステムでは、次のような３つの異なる変調モードを提供することができることを仮定する。
【００６５】
【表１】
2020535745.tif 000007
【００６６】
このような変調モードは、互いに異なる要求条件（例えば、高い処理率又は安定性）を満たすために用いられる。システムに応じて、これらのうち一部のモードのみ支援することもある。
【００６７】
図６は、既存の無線フレームの物理構成を説明するための図である。
【００６８】
全てのＤＭＧ（Ｄｉｒｅｃｔｉｏｎａｌ  Ｍｕｌｔｉ−Ｇｉｇａｂｉｔ）物理層は、図６に示すようなフィールドを共通して含むことを仮定する。但し、各々のモードに応じて、個別的なフィールドの規定方式及び使用される変調／コーディング方式において差を有し得る。
【００６９】
図６に示すように、無線フレームのプリアンブルは、ＳＴＦ（Ｓｈｏｒｔ  Ｔｒａｉｎｉｎｇ  Ｆｉｅｌｄ）及びＣＥ（Ｃｈａｎｎｅｌ  Ｅｓｔｉｍａｔｉｏｎ）を含むことができる。また、無線フレームは、ヘッダ、及びペイロードとしてデータフィールドと選択的にビームフォーミングのためのＴＲＮ（Ｔｒａｉｎｉｎｇ）フィールドを含むことができる。
【００７０】
図７及び図８は、図６の無線フレームのヘッダフィールドの構成を説明するための図である。
【００７１】
具体的に、図７は、ＳＣ（Ｓｉｎｇｌｅ  Ｃａｒｒｉｅｒ）モードが用いられる場合を示している。ＳＣモードで、ヘッダはスクランブリングの初期値を示す情報、ＭＣＳ（Ｍｏｄｕｌａｔｉｏｎ  ａｎｄ  Ｃｏｄｉｎｇ  Ｓｃｈｅｍｅ）、データの長さを示す情報、更なるＰＰＤＵ（Ｐｈｙｓｉｃａｌ  Ｐｒｏｔｏｃｏｌ  Ｄａｔａ  Ｕｎｉｔ）の存在可否を示す情報、パケットタイプ、トレーニングの長さ、アグリゲーション（Ａｇｇｒｅｇａｔｉｏｎ）可否、ビームトレーニング要請可否、最後のＲＳＳＩ（Ｒｅｃｅｉｖｅｄ  Ｓｉｇｎａｌ  Ｓｔｒｅｎｇｔｈ  Ｉｎｄｉｃａｔｏｒ）、切断（ｔｒｕｎｃａｔｉｏｎ）可否、ＨＣＳ（Ｈｅａｄｅｒ  Ｃｈｅｃｋ  Ｓｅｑｕｅｎｃｅ）等の情報を含むことができる。また、図７に示すように、ヘッダは４ビットの留保ビット（ｒｅｓｅｒｖｅｄ  ｂｉｔｓ）を有しており、以下の説明では、このような留保ビットを活用することもできる。
【００７２】
また、図８は、ＯＦＤＭモードが適用される場合のヘッダの具体的な構成を示している。ＯＦＤＭヘッダは、スクランブリングの初期値を示す情報、ＭＣＳ、データの長さを示す情報、更なるＰＰＤＵの存在可否を示す情報、パケットタイプ、トレーニングの長さ、アグリゲーション（Ａｇｇｒｅｇａｔｉｏｎ）可否、ビームトレーニング要請可否、最後のＲＳＳＩ、切断可否、ＨＣＳ（Ｈｅａｄｅｒ  Ｃｈｅｃｋ  Ｓｅｑｕｅｎｃｅ）等の情報を含むことができる。また、図８に示すように、ヘッダは２ビットの留保ビットを有しており、以下の説明では、図７の場合と同様にこのような留保ビットを活用することもできる。
【００７３】
前述したように、ＩＥＥＥ  ８０２．１１ａｙシステムは、既存の１１ａｄシステムに初めてチャネルボンディング及びＭＩＭＯ技術の導入を考慮している。１１ａｙでチャネルボンディング及びＭＩＭＯを具現するためには、新しいＰＰＤＵ構造が必要である。即ち、既存の１１ａｄ  ＰＰＤＵ構造では、レガシー端末を支援すると同時に、チャネルボンディングとＭＩＭＯを実現するには限界がある。
【００７４】
このため、レガシー端末を支援するためのレガシープリアンブル、レガシーヘッダフィールドの後に１１ａｙ端末のための新しいフィールドを定義することができ、ここで新たに定義されたフィールドを介して、チャネルボンディングとＭＩＭＯを支援することができる。
【００７５】
図９は、本発明の好ましい一実施形態にかかるＰＰＤＵ構造を示す図である。図９で、横軸は時間領域に、縦軸は周波数領域に対応し得る。
【００７６】
２個以上のチャネルをボンディングした際に、各チャネルで使用される周波数帯域（例：１．８３ＧＨｚ）の間には、一定サイズの周波数帯域（例：４００ＭＨｚ帯域）が存在し得る。混合モード（Ｍｉｘｅｄ  ｍｏｄｅ）の場合、各チャネルを介してレガシープリアンブル（レガシーＳＴＦ、レガシー：ＣＥ）がｄｕｐｌｉｃａｔｅに送信されるが、本発明の一実施形態では、各チャネル間の４００ＭＨｚ帯域を介して、レガシープリアンブルと共に、同時に新しいＳＴＦとＣＥフィールドの送信（ｇａｐ  ｆｉｌｌｉｎｇ）が考慮できる。
【００７７】
この場合、図９に示すように、本発明にかかるＰＰＤＵ構造は、ａｙ  ＳＴＦ、ａｙ  ＣＥ、ａｙヘッダＢ、ペイロード（ｐａｙｌｏａｄ）をレガシープリアンブル、レガシーヘッダ、及びａｙヘッダＡ以降に広帯域で送信する形態を有する。従って、ヘッダフィールドの後に送信されるａｙヘッダ、ａｙ  Ｐａｙｌｏａｄフィールド等は、ボンディングに使用されるチャネルを介して送信することができる。以下、ａｙヘッダをレガシーヘッダと区分するために、ＥＤＭＧ（ｅｎｈａｎｃｅｄ  ｄｉｒｅｃｔｉｏｎａｌ  ｍｕｌｔｉ−ｇｉｇａｂｉｔ）ヘッダと名付けてもよく、該当名称は、混用して使用されてもよい。
【００７８】
一例として、１１ａｙには計６個又は８個のチャネル（各２．１６ＧＨｚ）が存在し得、単一ＳＴＡでは最大４個のチャネルをボンディングして送信することができる。よって、ａｙヘッダとａｙ  Ｐａｙｌｏａｄは、２．１６ＧＨｚ、４．３２ＧＨｚ、６．４８ＧＨｚ、８．６４ＧＨｚの帯域幅を介して送信することができる。
【００７９】
或いは、前述したようなＧａｐ−Ｆｉｌｌｉｎｇを行わずにレガシープリアンブルを繰り返して送信する際のＰＰＤＵフォーマットもやはり考慮することができる。
【００８０】
この場合、Ｇａｐ−Ｆｉｌｌｉｎｇを行っておらず、図８で点線で表されるＧＦ−ＳＴＦ及びＧＦ−ＣＥフィールドなく、ａｙ  ＳＴＦ、ａｙ  ＣＥ、及びａｙヘッダＢをレガシープリアンブル、レガシーヘッダ及びａｙヘッダＡ以降に広帯域で送信する形態を有する。
【００８１】
図１０は、本発明に適用可能なＰＰＤＵ構造を簡単に示す図である。前述したＰＰＤＵフォーマットを簡単に整理すると、図１０のように示すことができる。
【００８２】
図１０に示すように、１１ａｙシステムに適用可能なＰＰＤＵフォーマットは、Ｌ−ＳＴＦ、Ｌ−ＣＥ、Ｌ−Ｈｅａｄｅｒ、ＥＤＭＧ−Ｈｅａｄｅｒ−Ａ、ＥＤＭＧ−ＳＴＦ、ＥＤＭＧ−ＣＥＦ、ＥＤＭＧ−Ｈｅａｄｅｒ−Ｂ、Ｄａｔａ、ＴＲＮフィールドを含むことができ、前記フィールドはＰＰＤＵの形態（例：ＳＵ  ＰＰＤＵ、ＭＵ  ＰＰＤＵ等）によって選択的に含まれ得る。
【００８３】
ここで、Ｌ−ＳＴＦ、Ｌ−ＣＥ、Ｌ−ｈｅａｄｅｒフィールドを含む部分は、非ＥＤＭＧ領域（Ｎｏｎ−ＥＤＭＧ  ｐｏｒｔｉｏｎ）と名付けられ、残りの部分は、ＥＤＭＧ領域と名付けられる。また、Ｌ−ＳＴＦ、Ｌ−ＣＥ、Ｌ−Ｈｅａｄｅｒ、ＥＤＭＧ−Ｈｅａｄｅｒ−Ａフィールドは、プレＥＤＭＧ変調されたフィールド（ｐｒｅ−ＥＤＭＧ  ｍｏｄｕｌａｔｅｄ  ｆｉｅｌｄｓ）と名付けられ、残りの部分は、ＥＤＭＧ変調されたフィールド（ＥＤＭＧ  ｍｏｄｕｌａｔｅｄ  ｆｉｅｌｄｓ）と名付けられる。
【００８４】
前記のようなＰＰＤＵの（レガシー）プリアンブル部分は、パケット検出（ｐａｃｋｅｔ  ｄｅｔｅｃｔｉｏｎ）、ＡＧＣ（Ａｕｔｏｍａｔｉｃ  Ｇａｉｎ  Ｃｏｎｔｒｏｌ）、周波数オフセットの測定（ｆｒｅｑｕｅｎｃｙ  ｏｆｆｓｅｔ  ｅｓｔｉｍａｔｉｏｎ）、同期化（ｓｙｎｃｈｒｏｎｉｚａｔｉｏｎ）、変調（ＳＣ又はＯＦＤＭ）の指示、及びチャネル測定（ｃｈａｎｎｅｌ  ｅｓｔｉｍａｔｉｏｎ）に使用されることができる。プリアンブルのフォーマットは、ＯＦＤＭパケット及びＳＣパケットに対して共通し得る。この際、前記プリアンブルは、ＳＴＦ（Ｓｈｏｒｔ  Ｔｒａｉｎｉｎｇ  Ｆｉｅｌｄ）及び前記ＳＴＦフィールドの以降に位置したＣＥ（Ｃｈａｎｎｅｌ  Ｅｓｔｉｍａｔｉｏｎ）フィールドで構成されることができる。（Ｔｈｅ  ｐｒｅａｍｂｌｅ  ｉｓ  ｔｈｅ  ｐａｒｔ  ｏｆ  ｔｈｅ  ＰＰＤＵ  ｔｈａｔ  ｉｓ  ｕｓｅｄ  ｆｏｒ  ｐａｃｋｅｔ  ｄｅｔｅｃｔｉｏｎ，ＡＧＣ，ｆｒｅｑｕｅｎｃｙ  ｏｆｆｓｅｔ  ｅｓｔｉｍａｔｉｏｎ，ｓｙｎｃｈｒｏｎｉｚａｔｉｏｎ，ｉｎｄｉｃａｔｉｏｎ  ｏｆ  ｍｏｄｕｌａｔｉｏｎ（ＳＣ  ｏｒ  ＯＦＤＭ）  ａｎｄ  ｃｈａｎｎｅｌ  ｅｓｔｉｍａｔｉｏｎ．Ｔｈｅ  ｆｏｒｍａｔ  ｏｆ  ｔｈｅ  ｐｒｅａｍｂｌｅ  ｉｓ  ｃｏｍｍｏｎ  ｔｏ  ｂｏｔｈ  ＯＦＤＭ  ｐａｃｋｅｔｓ  ａｎｄ  ＳＣ  ｐａｃｋｅｔｓ．Ｔｈｅ  ｐｒｅａｍｂｌｅ  ｉｓ  ｃｏｍｐｏｓｅｄ  ｏｆ  ｔｗｏ  ｐａｒｔｓ：ｔｈｅ  Ｓｈｏｒｔ  Ｔｒａｉｎｉｎｇ  ｆｉｅｌｄ  ａｎｄ  ｔｈｅ  Ｃｈａｎｎｅｌ  Ｅｓｔｉｍａｔｉｏｎ  ｆｉｅｌｄ．）
【００８５】
２．本発明が適用可能な実施例
【００８６】
以下では、前記のような技術的思想に基づいて、本発明で提案する技術的特徴について詳細に説明する。
【００８７】
より具体的に、本発明が適用可能な８０２．１１ａｙシステムでは、ＤＴＩのうちＳＰ（Ｓｅｒｖｉｃｅ  Ｐｅｒｉｏｄ）区間を用いて、１つ以上のＳＴＡに対してＴＤＤ（Ｔｉｍｅ  Ｄｉｖｉｓｉｏｎ  Ｄｕｐｌｅｘ）スケジューリングを支援することができる。これに関する具体的な説明は次の通りである。
【００８８】
図１１は、本発明の一実施例にかかるＴＤＤスケジューリングの方法を簡単に示す図である。
【００８９】
図１１に示すように、ＤＴＩ内ＳＰは、１つ以上の連続するＴＤＤ  Ｓｌｏｔを含み、各ＴＤＤ  Ｓｌｏｔは、隣接したＴＤＤ  Ｓｌｏｔと（ｘ）ＩＦＳ（ＩｎｔｅｒＦｒａｍｅ  Ｓｐａｃｅ）だけ離隔するように構成されることができる。
【００９０】
また、各ＴＤＤ  Ｓｌｏｔは１つ以上のＤＬ  ＴＤＤ−ＳＰ及び１つ以上のＵＬ  ＴＤＤ−ＳＰを含み、隣接するＤＬ  ＴＤＤ−ＳＰ間又はＵＬ  ＴＤＤ−ＳＰ間には（ｙ）ＩＦＳだけの時間間隔が、最後のＤＬ  ＴＤＤ−ＳＰと最初のＵＬ  ＴＤＤ−ＳＰ間には（ｚ）ＩＦＳだけの時間間隔が設定できる。
【００９１】
ここで、（ｘ）ＩＦＳ、（ｙ）ＩＦＳ、（ｚ）ＩＦＳというのは、ｘ、ｙ、ｚに沿って、多様なＩＦＳが適用できるということを意味し、前記値は、下記の多様なＩＦＳの何れかであってもよい。
【００９２】
−  ＲＩＦＳ（ｒｅｄｕｃｅｄ  ｉｎｔｅｒｆｒａｍｅ  ｓｐａｃｅ）
【００９３】
−  ＳＩＦＳ（ｓｈｏｒｔ  ｉｎｔｅｒｆｒａｍｅ  ｓｐａｃｅ）
【００９４】
−  ＰＩＦＳ（ＰＣＦ（ｐｏｉｎｔ  ｃｏｏｒｄｉｎａｔｉｏｎ  ｆｕｎｃｔｉｏｎ）  ｉｎｔｅｒｆｒａｍｅ  ｓｐａｃｅ）
【００９５】
−  ＤＩＦＳ（ＤＣＦ（ｄｉｓｔｒｉｂｕｔｅｄ  ｃｏｏｒｄｉｎａｔｉｏｎ  ｆｕｎｃｔｉｏｎ）ｉｎｔｅｒｆｒａｍｅ  ｓｐａｃｅ）
【００９６】
−  ＡＩＦＳ（ａｒｂｉｔｒａｔｉｏｎ  ｉｎｔｅｒｆｒａｍｅ  ｓｐａｃｅ）
【００９７】
−  ＥＩＦＳ（ｅｘｔｅｎｄｅｄ  ｉｎｔｅｒｆｒａｍｅ  ｓｐａｃｅ）
【００９８】
−  ＳＢＩＦＳ（ｓｈｏｒｔ  ｂｅａｍｆｏｒｍｉｎｇ  ｉｎｔｅｒｆｒａｍｅ  ｓｐａｃｅ）
【００９９】
−  ＢＲＰＩＦＳ（ｂｅａｍ  ｒｅｆｉｎｅｍｅｎｔ  ｐｒｏｔｏｃｏｌ  ｉｎｔｅｒｆｒａｍｅ  ｓｐａｃｅ）
【０１００】
−  ＭＢＩＦＳ（ｍｅｄｉｕｍ  ｂｅａｍｆｏｒｍｉｎｇ  ｉｎｔｅｒｆｒａｍｅ  ｓｐａｃｅ）
【０１０１】
−  ＬＢＩＦＳ（ｌｏｎｇ  ｂｅａｍｆｏｒｍｉｎｇ  ｉｎｔｅｒｆｒａｍｅ  ｓｐａｃｅ）
【０１０２】
ここで、ＤＬ  ＴＤＤ−ＳＰ区間では、ただＤＬ送信のみ許容され、ＵＬ  ＴＤＤ−ＳＰ区間では、ただＤＬ送信のみ許容されることができる。
【０１０３】
前述したＴＤＤスケジューリングの方法は、次のように一般化できる。
【０１０４】
図１２は、本発明の別の実施例にかかるＴＤＤスケジューリングの方法を簡単に示す図である。
【０１０５】
図１２において、「ＴＤＤ  ｉｎｔｅｒｖａｌ」は、図１１の「ＴＤＤ  Ｓｌｏｔ」に対応し、「ＴＤＤ  ｓｌｏｔ（ｓ）  ｆｏｒ  Ｓｉｍｐｌｅｘ  ＴＸ  ＴＤＤ  ｓｌｏｔｓ」は、図１１の「ＤＬ  ＴＤＤ−ＳＰ」に対応し、「ＴＤＤ  ｓｌｏｔ（ｓ）  ｆｏｒ  Ｓｉｍｐｌｅｘ  ＲＸ  ＴＤＤ  ｓｌｏｔｓ」は、図１１の「ＵＬ  ＴＤＤ−ＳＰ」に対応し得る。
【０１０６】
図１２において、ＧＴ（Ｇｕａｒｄ  Ｔｉｍｅ）１、ＧＴ２、及びＧＴ３は、別のシグナリングを介して設定されることができる。
【０１０７】
以下では、図１１及び図１２に示す各時間単位間の混同を防止するために、図１１の「ＴＤＤ  Ｓｌｏｔ」及び図１２の「ＴＤＤ  ｉｎｔｅｒｖａｌ」に対応する時間単位を第１の時間単位と名付け、図１１の「ＤＬ  ＴＤＤ−ＳＰ」、「ＵＬ  ＴＤＤ−ＳＰ」、及び図１２の「ＴＤＤ  ｓｌｏｔ（ｓ）  ｆｏｒ  Ｓｉｍｐｌｅｘ  ＴＸ／ＲＸ  ＴＤＤ  ｓｌｏｔｓ」に対応する時間単位を第２の時間単位と名付ける。
【０１０８】
このように構成されたＴＤＤスケジューリングの方法は、システム全体の早いデータ伝送を可能にすることで、システムの性能を高めることができる。
【０１０９】
さらに、実質的なシステム性能の向上のために、ＴＤＤスケジューリングされたＤＬ又はＵＬ送信に対する有効性の確認のためのＡＣＫの送信手続が更に定義できる。
【０１１０】
よって、本発明では、前記のようなＴＤＤスケジューリングの方法でＳＴＡとＡＰ間のＡＣＫの送受信方法について詳細に説明する。
【０１１１】
まず、ＴＤＤスケジューリングにおいて、ＡＣＫの送受信を支援するためのＡＰのシグナリング方法について詳細に説明すると、次の通りである。
【０１１２】
ＡＰは、ＤＴＩ区間内のＴＤＤスケジューリング方式のＳＰの割り当てのために拡張されたスケジュールエレメント（Ｅｘｔｅｎｄｅｄ  Ｓｃｈｅｄｕｌｅ  ｅｌｅｍｅｎｔ）（例：表２又は表３参照）の特定のサブフィールド（例：ＳＰ  ｗｉｔｈ  ＴＤＤ  Ｃｈａｎｎｅｌ  Ａｃｃｅｓｓ、又はＴＤＤ  Ａｐｐｌｉｃａｂｌｅ  ＳＰ）を用いて、特定ＳＰの割り当てがＴＤＤスケジューリング方式（又はＴＤＤチャネルアクセス）を用いることをシグナリングすることができる。
【０１１３】
【表２】
2020535745.tif 000008
【０１１４】
【表３】
2020535745.tif 000009
【０１１５】
また、ＡＰは、ＴＤＤ  Ｓｌｏｔ  Ｓｔｒｕｃｔｕｒｅ  ｅｌｅｍｅｎｔを介して、ＴＤＤスケジューリング方式のＳＰ区間内で、一つの第１の単位時間（例：図１１の「ＴＤＤ  Ｓｌｏｔ」又は図１２の「ＴＤＤ  ｉｎｔｅｒｖａｌ」）がどのように構成されているかをＳＴＡに知らせることができる。
【０１１６】
以下、ＡＰの具体的なシグナリング方法については、実施例別に区分して説明するが、拡張例として両立可能な各実施例の構成は、互いに結合して実現されることもできる。
【０１１７】
第１のシグナリング方法
【０１１８】
ＡＰは、表４のように構成されたＴＤＤ  Ｓｌｏｔ  Ｓｔｒｕｃｔｕｒｅ  ＩＥ  ｆｏｒｍａｔをＳＴＡに送信することによって、ＴＤＤスロットの構造をＳＴＡに知らせることができる。
【０１１９】
【表４】
2020535745.tif 000010
【０１２０】
ここで、Ｍは、図１１の「ＤＬ  ＴＤＤ−ＳＰ」又は図１２の「ＴＤＤ  ｓｌｏｔ（ｓ）  ｆｏｒ  Ｓｉｍｐｌｅｘ  ＴＸ  ＴＤＤ  ｓｌｏｔｓ」の個数を示し、Ｎは、図１１の「ＵＬ  ＴＤＤ−ＳＰ」又は図１２の「ＴＤＤ  ｓｌｏｔ（ｓ）  ｆｏｒ  Ｓｉｍｐｌｅｘ  ＲＸ  ＴＤＤ  ｓｌｏｔｓ」の個数を示す。
【０１２１】
この際、前記表４のＴＤＤ  Ｓｌｏｔ  Ｓｃｈｅｄｕｌｅ  Ｃｏｎｔｒｏｌフィールドは、表５のように構成され、ＴＤＤ  Ｓｌｏｔ  Ｓｃｈｅｄｕｌｅフィールドは、表６のように構成されることができる。ここで、表５及び表６の各フィールドは、図１１のＴＤＤスケジューリング方式に基づいて設定されたフィールドであって、各フィールドの定義（ｄｅｆｉｎｉｔｉｏｎ）は、図１２のＴＤＤスケジューリング方式に合わせて適応的に解釈されることができる。
【０１２２】
【表５】
2020535745.tif 000011
【０１２３】
【表６】
2020535745.tif 000012
【０１２４】
ＡＰは、前述したＥｘｔｅｎｄｅｄ  Ｓｃｈｅｄｕｌｅ  ｅｌｅｍｅｎｔ及びＴＤＤ  ｓｌｏｔ  Ｓｔｒｕｃｔｕｒｅ  ｅｌｅｍｅｎｔを含むビーコンメッセージをＳＴＡに送信することによって、ＤＴＩ内のＳＰ区間をＴＤＤスケジューリング方式で割り当てることができる。
【０１２５】
第２のシグナリング方法
【０１２６】
ＡＰは、ＤＴＩ区間をＴＤＤスケジューリング方式のＳＰ区間に割り当て、ＳＰ区間内のＴＤＤスロットの構造が決定されると、該当ＳＴＡにどんな時間区間（例：図１１の「ＤＬ  ＴＤＤ−ＳＰ」又は図１２の「ＴＤＤ  ｓｌｏｔ（ｓ）  ｆｏｒ  Ｓｉｍｐｌｅｘ  ＴＸ  ＴＤＤ  ｓｌｏｔｓ」、図１１の「ＵＬ  ＴＤＤ−ＳＰ」又は図１２の「ＴＤＤ  ｓｌｏｔ（ｓ）  ｆｏｒ  Ｓｉｍｐｌｅｘ  ＲＸ  ＴＤＤ  ｓｌｏｔｓ」）を割り当てるかに対する情報をビットマップ（Ｂｉｔｍａｐ）方式を用いてＳＴＡにシグナリングできる。
【０１２７】
この際、前記シグナリングに使用されるエレメント（ｅｌｅｍｅｎｔ）は下記の通りである。
【０１２８】
より具体的に、下記のようなエレメントを介して、特定のＳＰ区間（図１１の場合）又は特定のスロット区間（図１２の場合）は、ＴＸ区間（即ち、ＵＬ区間）、ＲＸ区間（即ち、ＤＬ区間）又はＡＣＫの送信区間に割り当てられる。
【０１２９】
これによる一例として、ＡＣＫ  ＴＤＤ  ＳＰ区間（図１１の場合）又はＡＣＫ ｓｌｏｔ（図１２の場合）は、ＳＰ区間のうち種々の位置に位置し得る。一例として、ＡＣＫ  ＴＤＤ  ＳＰ区間は、ＤＬ  ＴＤＤ  ＳＰとＵＬ  ＴＤＤ  ＳＰ区間の次である最後の区間に割り当てられる。
【０１３０】
下記表において、Ｑは、図１１の「ＴＤＤ  Ｓｌｏｔ」又は図１２の「ＴＤＤ  Ｉｎｔｅｒｖａｌ」の個数を示し、ここで、Ｍは、図１１の「ＤＬ  ＴＤＤ−ＳＰ」又は図１２の「ＴＤＤ  ｓｌｏｔ（ｓ）  ｆｏｒ  Ｓｉｍｐｌｅｘ  ＴＸ  ＴＤＤ  ｓｌｏｔｓ」の個数を示し、Ｎは、図１１の「ＵＬ  ＴＤＤ−ＳＰ」又は図１２の「ＴＤＤ  ｓｌｏｔ（ｓ）  ｆｏｒ  Ｓｉｍｐｌｅｘ  ＲＸ  ＴＤＤ  ｓｌｏｔｓ」の個数を示す。
【０１３１】
【表７】
2020535745.tif 000013
【０１３２】
さらに、前述した第２のシグナリング方法をより一般化して説明すると、該当シグナリング方法によるｅｌｅｍｅｎｔは、下記表のように構成されることができる。この際、「Ｂｉｔｍａｐ  ａｎｄ  Ａｃｃｅｓｓ  Ｔｙｐｅ  Ｓｃｈｅｄｕｌｅ」フィールドのサイズは、ＴＸ区間（即ち、ＵＬ区間）、ＲＸ区間（即ち、ＤＬ区間）、ＡＣＫの送信区間をいずれも含んでいる送信区間の個数であるＸに基づいて決定されることができる。この際、Ｑは、前述したように、図１１の「ＴＤＤ  Ｓｌｏｔ」又は図１２の「ＴＤＤ  Ｉｎｔｅｒｖａｌ」の個数を示すことができる。
【０１３３】
【表８】
2020535745.tif 000014
【０１３４】
これによって、ＡＣＫ  ＴＤＤ  ＳＰ区間（図１１の場合）又はＡＣＫ  ｓｌｏｔ（図１２の場合）は、ＳＰ区間のうち種々の位置に位置し得る。一例として、ＡＣＫ  ＴＤＤ  ＳＰ区間は、ＤＬ  ＴＤＤ  ＳＰとＵＬ  ＴＤＤ  ＳＰ区間の次である最後の区間に割り当てられる。
【０１３５】
図１３は、本発明に適用可能な一実施例にかかり、ＡＣＫ  ＴＤＤ  ＳＰ区間がＤＬ  ＴＤＤ  ＳＰ及びＵＬ  ＴＤＤ  ＳＰの次の区間に割り当てられる例示を簡単に示す図である。
【０１３６】
この際、図１３は、図１１のスロット構造に基づいた構成であって、図１２のスロット構造に基づく場合、ＤＬ  ＴＤＤ−ＳＰ、ＵＬ  ＴＤＤ−ＳＰ、ＡＣＫ  ＴＤＤ−ＳＰは、各々「ＴＸ  ＴＤＤ  ｓｌｏｔ」、「ＲＸ  ＴＤＤ  ｓｌｏｔ」、「ＡＣＫ  ＴＤＤ  ｓｌｏｔ」に変更適用されることができる。
【０１３７】
第３のシグナリング方法
【０１３８】
図１４は、本発明に適用可能な一実施例にかかり、ＡＣＫ  ＴＤＤ  ＳＰ区間（ＵＬ）及びＡＣＫ  ＴＤＤ  ＳＰ区間（ＤＬ）がＤＬ  ＴＤＤ  ＳＰ及びＵＬ  ＴＤＤ  ＳＰの次の区間に割り当てられる例示を簡単に示す図である。
【０１３９】
前述したシグナリング方法と異なり、ＡＣＫの送信のためのＴＤＤ  ｓｌｏｔは、ＵＬ送信のためのＡＣＫ  ＴＤＤ  ｓｌｏｔとＤＬ送信のためのＡＣＫ  ＴＤＤ  ｓｌｏｔとに区分されてシグナリングされることができる。
【０１４０】
この際、ＡＰは下記表のように構成されたｅｌｅｍｅｎｔをＳＴＡに送信することによって、ＳＴＡがＡＣＫを送信するためのスロット区間を割り当てることができる。
【０１４１】
【表９】
2020535745.tif 000015
【０１４２】
このように、ＡＣＫの送信区間を全て含んでいる送信区間の個数であるＸに基づいて決定されることができる。この際、Ｑは前述したように、図１１の「ＴＤＤ  Ｓｌｏｔ」又は図１２の「ＴＤＤ  Ｉｎｔｅｒｖａｌ」の個数を示すことができる。
【０１４３】
これによって、ＡＣＫ  ＴＤＤ  ＳＰ区間（ＵＬ）及びＡＣＫ  ＴＤＤ  ＳＰ区間（ＤＬ）は、ＳＰ区間のうち種々の位置に位置し得る。一例として、図１４のように、ＡＣＫ  ＴＤＤ  ＳＰ区間は、ＤＬ  ＴＤＤ  ＳＰとＵＬ  ＴＤＤ  ＳＰ区間の次である最後の区間に割り当てられる。
【０１４４】
このような構成を通じて、同一のＴＤＤ  ｉｎｔｅｒｖａｌ内ＤＬ及びＵＬ送信のためのＡＣＫの送信区間を割り当てることができ、これによって、長期間遅延されるＡＣＫ（ｌｏｎｇ−ｄｅｌａｙｅｄ  ａｃｋｎｏｗｌｅｄｇｅｍｅｎｔ）による問題点を解決することができる。
【０１４５】
即ち、ＴＤＤ−ｓｌｏｔｓ  ｆｏｒ  ＡＣＫ区間の間、ＤＮ（Ｄｉｓｔｒｉｂｕｔｉｏｎ  Ｎｏｄｅ、例：ＡＰ）及びＣＰ（Ｃｌｉｅｎｔ  Ｎｏｄｅ、例：ＳＴＡ）は、同一のＴＤＤ  ｉｎｔｅｒｖａｌ内の先だってのＤＬ／ＵＬ  ＴＤＤ−Ｓｌｏｔに対するＡＣＫを送信することができる。もし、前記ＤＮ又はＣＮがＡＣＫを先だったＴＸ／ＲＸ  ＴＤＤ−ＳＰで送信した場合、前記ＤＮ又はＣＮはＡＣＫ  ＴＤＤ  ｓｌｏｔの間にＡＣＫの送信に参与する必要はない。
【０１４６】
図１５は、本発明の第３のシグナリング方法による動作を簡単に示す図である。
【０１４７】
図１５において、ＤＮ（Ｄｉｓｔｒｉｂｕｔｉｏｎ  Ｎｏｄｅ）はＴＤＤスケジューリングを割り当てるノードとしてＰＣＰ／ＡＰ、ＡＰ等が適用でき、ＣＮ（Ｃｌｉｅｎｔ  Ｎｏｄｅ）は前記ＤＮによってＴＤＤスケジューリングの割り当てを受けるノードとしてＳＴＡ等が適用できる。
【０１４８】
図１５において、ＤＮは、３個のＣＮ（例：ＣＮ０、ＣＮ１、ＣＮ２）に各々ＴＤＤ−ＳＰ（ＴＸ）、ＴＤＤ−ＳＰ（ＲＸ）、ＴＤＤ−ＳＰ（ＴＸ  ｆｏｒ  ＡＣＫ）、及びＴＤＤ−ＳＰ（ＲＸ  ｆｏｒ  ＡＣＫ）を割り当てると仮定する。より具体的に、ＤＮはＣＮ０にＴＤＤ−ＳＰ１（ＴＸ）、ＴＤＤ−ＳＰ４（ＲＸ）、及びＴＤＤ−ＳＰ６（ＲＸ）を割り当て、ＣＮ１にＴＤＤ−ＳＰ２（ＴＸ）を割り当て、ＣＮ２にＴＤＤ−ＳＰ３（ＴＸ）、及びＴＤＤ−ＳＰ  ６（ＲＸ）を割り当てる。次いで、前記ＤＮはＣＮ０乃至ＣＮ２にＴＤＤ−ＳＰ７（ＴＸ  ｆｏｒ  ＡＣＫ）及びＴＤＤ−ＳＰ８（ＲＸ  ｆｏｒ  ＡＣＫ）を割り当てる。
【０１４９】
このため、前記ＤＮはＣＮ０に｛１０、００、００、０１、０１、００、１１、１０｝で構成されたＴＤＤ  ｂｉｔｍａｐ  ｓｃｈｅｄｕｌｅ  ＩＥを送信し、ＣＮ１に｛００、１０、００、００、００、００、１１、１０｝で構成されたＴＤＤ  ｂｉｔｍａｐ  ｓｃｈｅｄｕｌｅ  ＩＥを送信し、ＣＮ２に｛００、００、１０、００、００、０１、１１、１０｝のＴＤＤ  ｂｉｔｍａｐ  ｓｃｈｅｄｕｌｅ  ＩＥを送信することができる。
【０１５０】
この場合、ＣＮ０、ＣＮ１、ＣＮ２は各々対応するスロット区間の間にＵＬ信号を送信（及び／又は対応するスロット区間の間にＤＬ信号を受信）し、前記ＣＮ０乃至ＣＮ２は、ＴＤＤ−ＳＰ７の間にＡＣＫ情報をＤＮに送信することができる。
【０１５１】
また、前記ＤＮはＴＤＤ−ＳＰ８の間に前記ＣＮ０乃至ＣＮ２にＡＣＫ情報を送信することができる。言い換えると、前記ＣＮ０乃至ＣＮ２はＴＤＤ−ＳＰ８の間にＡＣＫ情報をＤＮから受信することができる。
【０１５２】
以下では、前記のような多様なシグナリングに基づくＴＤＤ割り当てに基づき、ＡＰとＳＴＡ間のＡＣＫを送受信する具体的な方法について詳細に説明する。
【０１５３】
第１のＡＣＫ送信方法
【０１５４】
本発明によると、ＡＣＫ  ＴＤＤ−ＳＰ区間でＡＰとＳＴＡは下記のようにＡＣＫを送受信することができる。
【０１５５】
−  ＤＬ／ＵＬ  ＴＤＤ  ＳＰの順序によって対応する信号が受信されたＳＴＡは、同じ順で送信ＳＴＡ（例：ＡＰ）にＡＣＫ（又はＢｌｏｃｋ−ＡＣＫ）を送信する。
【０１５６】
−  各ＳＴＡがＡＣＫ  ｆｒａｍｅを送信する場合、ＡＣＫ  ｆｒａｍｅ間のＩＦＳは、（ｙ）ＩＦＳ又は（ｚ）ＩＦＳ又はＳＩＢＩＦＳ又はＳＩＦＳに設定されることができる。
【０１５７】
この際、ＤＬ  ＴＤＤ  ＳＰ区間又はＵＬ  ＴＤＤ  ＳＰ区間で対応する信号が受信されたＳＴＡは、自身が該当信号が受信された順序をＴＤＤ  Ｂｉｔｍａｐ  Ｓｃｈｅｄｕｌｅ  ＩＥを介して認知することができる。また、ＡＣＫ  ＴＤＤ  ＳＰ区間でのＡＣＫの送信は、先だって割り当てられたＤＬ／ＵＬ  ＴＤＤ  ＳＰ区間の順序に従うので、ＡＣＫ  ｆｒａｍｅ間のＩＦＳが決められていれば、該当ＳＴＡは、ＡＣＫ  ＴＤＤ  ＳＰ区間のうち、自身がＡＣＫを送信するＡＣＫ  ＴＤＤ  ＳＰの位置を認知することができる。
【０１５８】
第２のＡＣＫ送信方法
【０１５９】
図１６は、本発明の一例によるＡＰとＳＴＡ間のＡＣＫの送受信動作を簡単に示す図である。
【０１６０】
本発明によると、ＡＣＫ  ＴＤＤ−ＳＰ区間でＡＰとＳＴＡは、下記のようにＡＣＫを送受信することができる。
【０１６１】
まず、ＤＬ  ＴＤＤ−ＳＰ（ＡＰ−＞ＳＴＡ）に対するＡＣＫ（ＳＴＡ−＞ＡＰ）送信動作は、次のようなポーリング（ｐｏｌｌｉｎｇ）方式に基づいて行える。
【０１６２】
−  ＡＣＫ  ＴＤＤ  ＳＰ区間で、ＡＰはＳＴＡにポーリング方式でＢＡＲ（Ｂｌｏｃｋ  ＡＣＫ  Ｒｅｑｕｅｓｔ）を送信する。
【０１６３】
−  次いで、ＢＡＲを受信したＳＴＡは、ＵＬ  ＴＤＤ−ＳＰで受信した該当ＭＡＣ（Ｍｅｄｉｕｍ  Ａｃｃｅｓｓ  Ｃｏｎｔｒｏｌ）フレームに対する受信可否を知らせるために、ＡＰにＢＡを送信する。
【０１６４】
−  ＴＤＤベースのＳＰ区間の間にＤＬ  ＴＤＤ−ＳＰとＵＬ  ＴＤＤ−ＳＰが特定のＳＴＡに割り当てられる場合、該当ＳＴＡは、ＤＬ  ＴＤＤ−ＳＰ区間のとき、ＵＬ  ＴＤＤ−ＳＰ区間の間に受信したデータに対するＢＡを送信することができる。或いは、該当ＳＴＡは、ＵＬ  ＴＤＤ−ＳＰ区間のとき、ＤＬ  ＴＴＤＤ−ＳＰ区間の間に受信したデータに対するＢＡを送信することができる。
【０１６５】
−  これと異なり、ＴＤＤベースのＳＰ区間の間にＤＬ  ＴＤＤ−ＳＰとＵＬ  ＴＤＤ−ＳＰが全て割り当てられないＳＴＡは、ＡＣＫ  ＴＤＤ  ＳＰ区間を用いてＢＡを送信することができる。
【０１６６】
−  また、ＡＣＫ  ＴＤＤ  ＳＰ区間で、ＡＰはＵＬ  ＴＤＤ−ＳＰで受信した該当ＭＡＣフレームに対して端末にＢＡを送信することができる。
【０１６７】
第３のＡＣＫ送信方法
【０１６８】
前述した第３のシグナリング方法及び図１４のように、ＡＣＫの送信のためのＴＤＤ  ｓｌｏｔはＵＬ送信のためのＡＣＫ  ＴＤＤ  ｓｌｏｔとＤＬ送信のためのＴＤＤ  ｓｌｏｔとに区分されて設定（又は定義）されることができる。この場合、ＡＰとＳＴＡは、次のようにＡＣＫを送受信することができる。
【０１６９】
図１７は、本発明の別の例によるＡＰとＳＴＡ間のＡＣＫの送受信動作を簡単に示す図である。
【０１７０】
ＡＣＫ  ＴＤＤ−Ｓｌｏｔ（ＵＬ）の間、ＳＴＡはＤＬ送信のための以前のＴＤＤ−Ｓｌｏｔの順序によって、ＡＣＫの送信を行うことができる。言い換えると、ＡＣＫの送信の順序は、以前のＤＬ送信のためのＴＤＤ−Ｓｌｏｔの順序によって設定されることができる。
【０１７１】
この際、ＡＣＫの送信のためのＴＤＤ−Ｓｌｏｔの長さ（ｄｕｒａｂｌｅ）はＢＳＳにわたった干渉制御を考慮する（ｃｏｎｓｉｄｅｒｉｎｇ  ｉｎｔｅｒｆｅｒｅｎｃｅ  ｍａｎａｇｅｍｅｎｔ  ｗｉｔｈ  ａｃｒｏｓｓ  ＢＳＳｓ）スケジューラによって調整されることができる。
【０１７２】
小結
【０１７３】
図１８は、本発明の一実施例にかかるＳＴＡとＡＰ間のＡＣＫ情報の送受信動作を簡単に示す図であり、図１９は、本発明の一実施例にかかるＳＴＡのＡＣＫ情報送信動作を簡単に示すフローチャートであり、図２０は、本発明の一実施例にかかるＡＰのＡＣＫ情報受信動作を簡単に示すフローチャートである。
【０１７４】
まず、ＳＴＡは、ＰＣＰ／ＡＰからＴＤＤ割り当て情報を受信する（Ｓ１８１０、Ｓ１９１０）。これに対応し、ＰＣＰ／ＡＰは、前記ＳＴＡにＴＤＤ割り当て情報を送信する（Ｓ２０１０）。
【０１７５】
本発明において、前記ＳＴＡとＰＣＰ／ＡＰはＡＣＫ情報の送受信に先だって、信号を送受信することができる（Ｓ１８２０）。この際、図１８では、説明の便宜上、信号の送受信動作とＴＤＤ割り当て情報の送受信動作の前後を区分して示しているが、前記信号の送受信動作は多様に行われ得る。一例として、前記信号の送受信動作は同時に行われることもあり、又はＴＤＤ割り当て情報の送受信動作に先だって、前記信号の送受信動作が行われることもある。
【０１７６】
この際、前記１つのＳＰが１つ以上の第１の単位時間（ｔｉｍｅ  ｕｎｉｔ）を含み、前記１つの第１の単位時間が１つ以上の第２の単位時間を含む場合、前記ＴＤＤ割り当て情報は、前記１つのＳＰに含まれた全ての第２の単位時間に対する情報を含む。一例として、図１１に示すように、第１の単位時間がＴＤＤ  Ｓｌｏｔに対応し、第２の単位時間がＴＤＤ−ＳＰに対応する場合、前記ＴＤＤ割り当て情報は、前記１つのＳＰに含まれた全てのＴＤＤ−ＳＰに対する情報を含むことができる。別の例として、図１２に示すように、第１の単位時間がＴＤＤ  ｉｎｔｅｒｖａｌに対応し、第２の単位時間がＴＤＤ  ｓｌｏｔに対応する場合、前記ＴＤＤ割り当て情報は、前記１つのＳＰに含まれた全てのＴＤＤ  Ｓｌｏｔに対する情報を含むことができる。
【０１７７】
次いで、ＳＴＡは以降送信するＡＣＫ情報を生成することができる（Ｓ１８３０、Ｓ１９２０）。
【０１７８】
次いで、ＳＴＡは前記１つのＳＰ以内に前記ＴＤＤ割り当て情報に基づいて決定される１つ以上の第２の単位時間（ｔｉｍｅ  ｕｎｉｔ）で前記ＡＣＫ情報を前記ＰＣＰ／ＡＰに送信する（Ｓ１８４０、Ｓ１９３０）。これに対応し、ＰＣＰ／ＡＰは前記ＳＴＡから前記１つのＳＰ以内に前記ＴＤＤ割り当て情報に基づいて決定される１つ以上の第２の単位時間（ｔｉｍｅ  ｕｎｉｔ）で前記ＡＣＫ情報を受信することができる（Ｓ２０２０）。
【０１７９】
ここで、前記ＴＤＤ割り当て情報は、前記１つ以上の第２の単位時間が前記ＡＣＫ情報の送信のために割り当てられることを知らせることができる。
【０１８０】
より具体的に、前記ＴＤＤ割り当て情報は、１つ以上の連続する２ビット情報で構成されることができる。この際、各々の２ビット情報は、関連する第２の単位時間が前記ＡＣＫ情報の送信のために割り当てられるか否かを知らせることができる。
【０１８１】
もし、前記１つのＳＰに含まれた第１の単位時間の個数がＱであり、前記１つの第１の単位時間に含まれた第２の単位時間の個数がＭである場合、前記ＴＤＤ割り当て情報は、下記数式１を満たすオクテット（ｏｃｔｅｔｓ）サイズを有することができる。
【０１８２】
【数１】
2020535745.tif 000016
【０１８３】
ここで、
2020535745.tif 000017
は、Ａよりも大きいか等しい整数のうち、最も小さい整数値を示す演算記号を意味する。
【０１８４】
また、前記ＳＴＡが前記ＡＣＫ情報を送信する特定の第２の単位時間は、前記特定の第２の単位時間を含む特定の第１の単位時間の最後の区間に割り当てられる。言い換えると、ＰＣＰ／ＡＰは、前記ＳＴＡから前記ＡＣＫ情報を受信する特定の第２の単位時間を前記特定の第２の単位時間を含む特定の第１の単位時間の最後の区間に割り当てることができる。
【０１８５】
次いで、前記ＳＴＡは、前記ＡＣＫの送信に先だって、前記ＰＣＰ／ＡＰから前記ＡＣＫの送信を要請する信号を受信することができる。これに対応し、前記ＳＴＡは対応する時間区間を介して前記ＰＣＰ／ＡＰにＡＣＫ情報を送信することができる。
【０１８６】
この際、前記１つのＳＰは、データ伝送区間（ｄａｔａ  ｔｒａｎｓｆｅｒ  ｉｎｔｅｒｖａｌ；ＤＴＩ）に含まれ得る。
【０１８７】
３．装置構成
【０１８８】
図２１は、前述したような方法を実現するための装置を説明するための図である。
【０１８９】
図２１の無線装置１００は、前述した説明で説明したＴＤＤのスケジューリングを管理するＴＤＤスケジューラ（例：ＰＣＰ／ＡＰ、ＡＰ、ＤＮ等）に対応し、無線装置１５０は、前記ＴＤＤスケジューラによってスケジューリングされるＴＤＤスケジューリング装置（例：ＳＴＡ、ＣＮ等）に対応し得る。
【０１９０】
送信装置１００は、プロセッサ１１０、メモリ１２０、送受信部１３０を含むことができ、受信装置１５０は、プロセッサ１６０、メモリ１７０、及び送受信部１８０を含むことができる。送受信部１３０、１８０は無線信号を送信／受信し、ＩＥＥＥ  ８０２．１１／３ＧＰＰ等の物理的層で実行されることができる。プロセッサ１１０、１６０は、物理層及び／又はＭＡＣ層で実行され、送受信部１３０、１８０と連結されている。
【０１９１】
プロセッサ１１０、１６０及び／又は送受信部１３０、１８０は、特定集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、他のチップセット、論理回路及び／又はデータプロセッサを含むことができる。メモリ１２０、１７０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納ユニットを含むことができる。一実施例がソフトウェアによって実行される際、前記記述した技法は、前記記述された機能を行うモジュール（例えば、プロセス、機能）として実行されることができる。前記モジュールはメモリ１２０、１７０に格納されることができ、プロセッサ１１０、１６０によって実行されることができる。前記メモリ１２０、１７０は、前記プロセス１１０、１６０の内部又は外部に配置されてもよく、よく知られている手段で前記プロセス１１０、１６０と連結されてもよい。
【０１９２】
より具体的に、ＡＣＫ情報を送信する送信装置は、送受信部１３０を制御するプロセッサ１１０を介して、前記他のステーション装置から１つのサービス区間（ｓｅｒｖｉｃｅ  ｐｅｒｉｏｄ；ＳＰ）内のＴＤＤ（Ｔｉｍｅ  Ｄｉｖｉｓｉｏｎ  Ｄｕｐｌｅｘ）割り当て情報を受信し、前記１つのＳＰ以内に前記ＴＤＤ割り当て情報に基づいて決定される１つ以上の第２の単位時間（ｔｉｍｅ  ｕｎｉｔ）で前記ＡＣＫ情報を前記他のステーション装置に送信することができる。この際、前記１つのＳＰが１つ以上の第１の単位時間（ｔｉｍｅ  ｕｎｉｔ）を含み、前記１つの第１の単位時間が１つ以上の第２の単位時間を含む場合、前記ＴＤＤ割り当て情報は、前記１つのＳＰに含まれた全ての第２の単位時間に対する情報を含むことができる。
【０１９３】
これに対応し、ＡＣＫ情報を受信する受信装置は、送受信部１８０を制御するプロセッサ１６０を介して一つのサービス区間（ｓｅｒｖｉｃｅ  ｐｅｒｉｏｄ；ＳＰ）内のＴＤＤ（Ｔｉｍｅ  Ｄｉｖｉｓｉｏｎ  Ｄｕｐｌｅｘ）割り当て情報を前記他のステーション装置に送信し、前記１つのＳＰ以内に前記ＴＤＤ割り当て情報に基づいて決定される１つ以上の第２の単位時間（ｔｉｍｅ  ｕｎｉｔ）で前記他のステーション装置から前記ＡＣＫ情報を受信することができる。この際、前記１つのＳＰが１つ以上の第１の単位時間（ｔｉｍｅ  ｕｎｉｔ）を含み、前記１つの第１の単位時間が１つ以上の第２の単位時間を含む場合、前記ＴＤＤ割り当て情報は、前記１つのＳＰに含まれた全ての第２の単位時間に対する情報を含むことができる。
【０１９４】
前述したように開示された本発明の好ましい実施形態に対する詳細な説明は、当業者が本発明を実現して実施できるように提供された。前記では、本発明の好ましい実施形態を参照として説明したが、該当技術分野の熟練した当業者は、前述した説明から本発明を多様に修正及び変更させることができることが理解できるはずだ。従って、本発明は、ここに示す実施形態に制限しようとするのではなく、ここで開示された原理及び新規な特徴と一致する最良の範囲を付与しようとするものである。
【産業上の利用可能性】
【０１９５】
前述したような本発明は、ＩＥＥＥ  ８０２．１１ベースの無線ＬＡＮシステムに適用されることを仮定して説明したが、これに限定される必要はない。本発明は、チャネルボンディングに基づいてデータ伝送が可能な多様な無線システムに同じ方式で適用されることができる。
【図１】
2020535745.tif 000022
【図２】
2020535745.tif 000023
【図３】
2020535745.tif 000024
【図４】
2020535745.tif 000025
【図５】
2020535745.tif 000026
【図６】
2020535745.tif 000027
【図７】
2020535745.tif 000028
【図８】
2020535745.tif 000029
【図９】
2020535745.tif 000030
【図１０】
2020535745.tif 000031
【図１１】
2020535745.tif 000032
【図１２】
2020535745.tif 000033
【図１３】
2020535745.tif 000034
【図１４】
2020535745.tif 000035
【図１５】
2020535745.tif 000036
【図１６】
2020535745.tif 000037
【図１７】
2020535745.tif 000038
【図１８】
2020535745.tif 000039
【図１９】
2020535745.tif 000040
【図２０】
2020535745.tif 000041
【図２１】
2020535745.tif 000042
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
無線ＬＡＮ（ＷＬＡＮ）システムにおけるステーション（ＳＴＡ）がＡＣＫ（Ａｃｋｎｏｗｌｅｄｇｅｍｅｎｔ）情報を送信する方法において、
アクセスポイント（ＡＰ）から１つのサービス区間（ｓｅｒｖｉｃｅ  ｐｅｒｉｏｄ；ＳＰ）に対するＴＤＤ（Ｔｉｍｅ  Ｄｉｖｉｓｉｏｎ  Ｄｕｐｌｅｘ）割り当て情報を受信し、前記１つのＳＰは少なくとも１つの第１の単位時間（ｔｉｍｅ  ｕｎｉｔ）を含み、前記少なくとも一つの第１の単位時間の中の１つの第１の単位時間が少なくとも１つの第２の単位時間を含み、前記ＴＤＤ割り当て情報は、前記少なくとも一つの第２の単位時間についての割当て情報を含み、
前記少なくとも一つの第２の単位時間に前記ＡＣＫ情報を前記ＡＰに送信することを含み、前記少なくとも１つの第２の単位時間は前記ＴＤＤ割り当て情報に基づいて決定される、ステーションのＡＣＫ情報送信方法。
【請求項２】
前記ＴＤＤ割り当て情報は、前記少なくとも１つの第２の単位時間が前記ＡＣＫ情報の送信のために割り当てられることについての情報を含む、請求項１に記載のステーションのＡＣＫ情報送信方法。
【請求項３】
前記ＴＤＤ割り当て情報は２ビット情報を含み、
前記２ビット情報は、前記少なくとも一つの第２の単位時間の中の一つの第２の単位時間が前記ＡＣＫ情報の送信のために割り当てられるか否かについての情報を含む、請求項２に記載のステーションのＡＣＫ情報送信方法。
【請求項４】
前記１つのＳＰに含まれる第１の単位時間の個数がＱであり、前記１つの第１の単位時間に含まれる第２の単位時間の個数がＭである場合、
前記ＴＤＤ割り当て情報は、下記の数式を満たすオクテット（ｏｃｔｅｔｓ）のサイズを有し、
［数式］
2020535745.tif 000043
ここで、
2020535745.tif 000044
は、Ａよりも大きいか等しい整数のうち、最も小さい整数値を示す、請求項３に記載のステーションのＡＣＫ情報送信方法。
【請求項５】
前記ＳＴＡが前記ＡＣＫ情報を送信する特定の第２の単位時間は、前記一つの第１の単位時間の最後の区間に割り当てられる、請求項１に記載のステーションのＡＣＫ情報送信方法。
【請求項６】
前記ＳＴＡは、前記ＡＣＫ情報の送信に先だって、前記ＡＰから前記ＡＣＫ情報の送信を要請する信号を受信する、請求項１に記載のステーションのＡＣＫ情報送信方法。
【請求項７】
前記１つのＳＰは、データ伝送区間（ｄａｔａ  ｔｒａｎｓｆｅｒ  ｉｎｔｅｒｖａｌ；ＤＴＩ）に含まれる、請求項１に記載のステーションのＡＣＫ情報送信方法。
【請求項８】
無線ＬＡＮ（ＷＬＡＮ）システムにおけるアクセスポイント（ＡＰ）がステーション（ＳＴＡ）からＡＣＫ（Ａｃｋｎｏｗｌｅｄｇｅｍｅｎｔ）情報を受信する方法において、
１つのサービス区間（ｓｅｒｖｉｃｅ  ｐｅｒｉｏｄ；ＳＰ）に対するＴＤＤ（Ｔｉｍｅ  Ｄｉｖｉｓｉｏｎ  Ｄｕｐｌｅｘ）割り当て情報を前記ＳＴＡに送信し、
前記１つのＳＰは少なくとも１つの第１の単位時間（ｔｉｍｅ  ｕｎｉｔ）を含み、前記少なくとも一つの第１の単位時間の中の１つの第１の単位時間は少なくとも１つの第２の単位時間を含み、前記ＴＤＤ割り当て情報は、前記少なくとも１つの第２の単位時間についての割当て情報を含み、
前記少なくとも一つの第２の単位時間に前記ＳＴＡから前記ＡＣＫ情報を受信することを含み、前記少なくとも一つの第２の単位時間は前記ＴＤＤ割り当て情報に基づいて決定される、アクセスポイントのＡＣＫ情報受信方法。
【請求項９】
前記ＴＤＤ割り当て情報は、前記少なくとも１つの第２の単位時間が前記ＡＣＫ情報の送信のために割り当てられることについての情報を含む、請求項８に記載のアクセスポイントのＡＣＫ情報受信方法。
【請求項１０】
前記ＴＤＤ割り当て情報は、２ビット情報を含み、
前記２ビット情報は、前記少なくとも一つの第２の単位時間の中の一つの第２の単位時間が前記ＡＣＫ情報の送信のために割り当てられるか否かについての情報を含む、請求項９に記載のアクセスポイントのＡＣＫ情報受信方法。
【請求項１１】
前記１つのＳＰに含まれる第１の単位時間の個数がＱであり、前記１つの第１の単位時間に含まれる第２の単位時間の個数がＭである場合、
前記ＴＤＤ割り当て情報は、下記の数式を満たすオクテット（ｏｃｔｅｔｓ）のサイズを有し、
［数式］
2020535745.tif 000045
ここで、
2020535745.tif 000046
は、Ａよりも大きいか等しい整数のうち、最も小さい整数値を示す、請求項１０に記載のアクセスポイントのＡＣＫ情報受信方法。
【請求項１２】
前記ＡＰが前記ＳＴＡから前記ＡＣＫ情報を受信する特定の第２の単位時間は、前記一つの第１の単位時間の最後の区間に割り当てられる、請求項８に記載のアクセスポイントのＡＣＫ情報受信方法。
【請求項１３】
前記ＡＰは、前記ＡＣＫ情報の受信に先だって、前記ＳＴＡに前記ＡＣＫ情報の送信を要請する信号を送信する、請求項８に記載のアクセスポイントのＡＣＫ情報受信方法。
【請求項１４】
前記１つのＳＰは、データ伝送区間（ｄａｔａ  ｔｒａｎｓｆｅｒ  ｉｎｔｅｒｖａｌ；ＤＴＩ）に含まれる、請求項８に記載のアクセスポイントのＡＣＫ情報受信方法。
【請求項１５】
無線ＬＡＮ（ＷＬＡＮ）システムにおけるＡＣＫ（Ａｃｋｎｏｗｌｅｄｇｅｍｅｎｔ）情報を送信するステーション装置において、
少なくとも１つのＲＦ（Ｒａｄｉｏ  Ｆｒｅｑｕｅｎｃｙ）チェーンを有し、他のステーション装置と信号を送受信するように構成される送受信部と、
前記送受信部と連結され、前記他のステーション装置と送受信した信号を処理するプロセッサを含み、
前記プロセッサは、
前記他のステーション装置から１つのサービス区間（ｓｅｒｖｉｃｅ  ｐｅｒｉｏｄ；ＳＰ）に対してＴＤＤ（Ｔｉｍｅ  Ｄｉｖｉｓｉｏｎ  Ｄｕｐｌｅｘ）割り当て情報を受信し、前記１つのＳＰは少なくとも１つの第１の単位時間（ｔｉｍｅ  ｕｎｉｔ）を含み、前記少なくとも一つの第１の単位時間の中の１つの第１の単位時間は少なくとも１つの第２の単位時間を含み、前記ＴＤＤ割り当て情報は、前記少なくとも１つの第２の単位時間についての割当て情報を含み、
前記少なくとも一つの第２の単位時間に前記ＡＣＫ情報を前記他のステーション装置に送信するように構成され、前記少なくとも１つの第２の単位時間は前記ＴＤＤ割り当て情報に基づいて決定される、ステーション装置。
【国際調査報告】
2020535745.tif 000047
2020535745.tif 000048
2020535745.tif 000049
2020535745.tif 000050